(57)【要約】      （修正有）【課題】証券市場の細分化傾向の判別と表示を提供する。【解決手段】正方形とひし形の組み合わせをコンピューターの画面に表示する。その図形の意味は、証券市場が、細分化か、差別化傾向かの情報を示す。判別式により、ｘの値が示され、その値により、正方形、ひし形の図形の形が決められる。2014038572.tif 000007ｘ＝（０．９９−Ｌ）／０．０５と、ｘ＝（Ｌ−０．９５）／０．０５の方程式が、判別に使用される。ｘの範囲としては、０＜ｘ＜１が、基礎となる。値が、０または１の、外側の時は、流動性、安定性の、判定が、おこなわれる。判別式により、判定と、判定により、図形が、決められ、その表示により、証券市場の、購買行動の総合判断が、可能となり、これにより、証券市場の、株価の、公正価格が市場の中に形成される。【選択図】図１
2014038572.tif 000002
【特許請求の範囲】
【発明の詳細な説明】
証券市場の購買行動による図形表示
株価Ａと、株価Ｂが、競争関係にあるとき、Ａ，Ｂは、現在価値において、類似価格が、形成される。それぞれ、高価格と、サブ証券として、低価格傾向の株価が、想定される。
１、正方形は、安定化傾向の株価が、表現される。
２、ひし形は、流動性傾向の株価が、表現される。
３、株価Ａは、株価Ｂのｐの値に転換され、現在価値と転換後のＡの、株価が比較され、    正方形か、ひし形かの、判断に利用できる。
４、株価Ｂは、株価Ａのｐの値に転換され、現在価値と転換後のＢの、株価が比較され、    正方形か、ひし形かの、判断に利用できる。
例
Ａが、￥１２３００、Ｂが、￥１２０００の現在価値の株価で、それぞれ、高値が、    ￥１５０００と、￥１５４００とすると、ｐの値は、０．１８と０．２２になる。Ａ    の値が、Ｂのｐの値に転換されると、￥１５７８５で、￥１５０００と比較すると、    高値になる。Ａが、図形の左側の場合、上方向は、正方形から、ひし形に変化する。
５．Ｐには、プラスとマイナスのタイプがあり、（ａ−ｂ）／ａ  ＝  ｐ  の、ｐ型関数  が、利用される。ａ＞ｂの条件で、それぞれ、株価となり、ｐは、０＜ｐ＜１の範囲と  なる。
2014038572.tif 000003
証券市場では、親の株価と子供の株価があり、証券Ａの、オプション価格などが、親の株価Ａの、子供の株価になる。サブ株価は、Ａの現在価値の株価より、低価格であり、オプションの価格よりは、高価格となる。証券市場が、細分化か、差別化傾向にあるとき、サブ株価と、オプションの株価は、流動性に富むと判断されるとき、ひし形の表現が、使われ、流動性が、低いと判断されれば、正方形の表現が、適当となる。
オプションの価格は、子供の価格として、親の株価に影響する。また、オプションの株価も、親の株価に影響される。
１、オプションの価格として、ｋの値が、使用される。
２、ｋは、０＜ｘ＜１の範囲で、細分化傾向のｘが、利用される。
2014038572.tif 000004
６、Ｐは、ｐ＝（ａ−ｂ）／ａ
2014038572.tif 000005
８、正方形と、ひし形の表現により、証券市場の細分化と差別化の傾向判断に役立つ。
例
￥２１４のオプションが、￥２５０に変化したとき、現在価値のＡが、上昇すれば、子供の株価に反応したことになる。正方形の表示が、ひし形に表示するかどうかの、判断材料となる。
正方形から、ひし形の変化が、多い時、細分化が、証券市場の傾向である時と、ひし形から、正方形に表現されることが、多い時は差別化か、想定される。
2014038572.tif 000006
【手続補正書】
【提出日】平成25年1月30日(2013.1.30)
【手続補正１】
【補正対象書類名】明細書
【補正対象項目名】全文
【補正方法】変更
【補正の内容】
【発明の詳細な説明】
【技術分野】
【０００１】証券市場の購買行動による図形表示
株価Ａと、株価Ｂが、競争関係にあるとき、Ａ，Ｂは、現在価値において、類似価格が、形成される。それぞれ、高価格と、サブ証券として、低価格傾向の株価が、想定される。【０００２】    ｐ型関数が、利用される。ａ＞ｂの条件で、それぞれ、株価となり、ｐは、０＜ｐ＜１の範囲となる。【０００３】    流動性、安定性、細分化、差別化の表示
証券市場の細分化の傾向の表示
【発明の概要】
【０００４】１、正方形は、安定化傾向の株価が、表現される。
２、ひし形は、流動性傾向の株価が、表現される。
３、株価Ａは、株価Ｂのｐの値に転換され、現在価値と転換後のＡの、株価が比較され、    正方形か、ひし形かの、判断に利用できる。
４、株価Ｂは、株価Ａのｐの値に転換され、現在価値と転換後のＢの、株価が比較され、    正方形か、ひし形かの、判断に利用できる。
例
Ａが、￥１２３００、Ｂが、￥１２０００の現在価値の株価で、それぞれ、高値が、    ￥１５０００と、￥１５４００とすると、ｐの値は、０．１８と０．２２になる。Ａ    の値が、Ｂのｐの値に転換されると、￥１５７８５で、￥１５０００と比較すると、    高値になる。Ａが、図形の左側の場合、上方向は、正方形から、ひし形に変化する。
５．Ｐには、プラスとマイナスのタイプがあり、（ａ−ｂ）／ａ  ＝  ｐ  の、ｐ型関数が、利用される。ａ＞ｂの条件で、それぞれ、株価となり、ｐは、０＜ｐ＜１の範囲となる。
証券市場における、Ａと、Ｂの株価が、競争関係にあり、類似価格となるなど、細分化と、差別化の傾向に関係する  親と子供の、株価の関係も、細分化と差別化の傾向に影響される。Ａ、Ｂ，の株価（親の価格）は、価格により、変化し、ｐの値に影響する。
（子供の価格）は、Ａ，Ｂより、低価格であり、方程式により、計算される。
2014038572.tif 000008
Ｓは、株価が、ｐは、ｐ型関数による、株価の変化になる．ｋの値は、０．０５とｘ、２のタイプの、方程式がある。
Ｓ      株価
Ｐ      （ａ−ｂ）／ａ      ａ＞ｂ    ａ，ｂは、株価
2014038572.tif 000009
2014038572.tif 000010
６、Ｐは、ｐ＝（ａ−ｂ）／ａ
2014038572.tif 000011
８、正方形と、ひし形の表現により、証券市場の細分化と差別化の傾向判断に役立つ。
2014038572.tif 000012
（Ｌ−０．９５）／０．０５  ＝ｘ，  これらの、方程式で、判定と、判定に、基ずく図形表示による、証券市場の、判定法と表示法
【発明の効果】
【０００５】判別式により、判定と、判定により、図形が、決められ、その表示により、証券市場の、購買行動の総合判断が、可能となり、これにより、証券市場の、株価の、公正価格が市場の中に形成される作用がある。
【図面の簡単な説明】
【０００６】Ａ，Ｂの株価が、安定と流動と異なれば、正方形、ひし形の表現がされる。
角度調整により、安定性か、流動性かが、調整され、細分化か、差別化の、証券市場の、傾向判断に利用する。
【図１】正方形から、ひし形の変化が、多い時、細分化が、証券市場の傾向である時と、ひし形から、正方形に表現されることが、多い時は差別化か、想定される。
【図２】図形の、上と下は、株価の親と、子供の価格が、示される。左と右に、Ａ，Ｂの株価の現在価値が、子供の価格は、低価格で、流動的、株価の上昇志向では、上は高価格が、しめされる。
【手続補正２】
【補正対象書類名】図面
【補正対象項目名】全図
【補正方法】追加
【補正の内容】
【図１】
2014038572.tif 000013
【図２】
2014038572.tif 000014
【手続補正３】
【補正対象書類名】特許請求の範囲
【補正対象項目名】全文
【補正方法】変更
【補正の内容】
【特許請求の範囲】
【請求項１】
判別式により、任意の株価が、流動性か、安定傾向か、判別する。
2014038572.tif 000015
親の株価に対して用いられる用語
ｘの値により、任意の株価が、流動性か、安定性か、判別される。
Ｓには、任意の株価が、代入される。
ｘの値により判別された判別は、正方形または、ひし形の図形に表示される。
この方法の、フローは、子供の競争価格または、類似価格の、株価が、判別式に代入される。それぞれ、ｘの値が示され、そのｘの値により、正方形と、ひし形の図形が、コンピューターの画面上に、ひょうじされる。